(57)【要約】【課題】手間を要せず、布団との間のズレを防止できる布を提供する。【解決手段】本考案の布１は、布団カバーに使用される布である。布１は、綿、ポリエステル、レーヨン、ポリエステル、或いは、ポリプロピレンからなる繊維から繊維からなる生地２を有しており、当該生地２の表面３が滑り止め加工が施されている加工面とされている。【選択図】図１
0003212062.tif 000002
【実用新案登録請求の範囲】
【請求項１】
布団カバー或いはマットカバーに使用される布であって、
滑り止め加工が施されている加工面を有する布。
【請求項２】
前記加工面には、前記滑り止め加工として、アクリル共重合体、ポリ塩化ビニル、或いは、シリコンを含む材料が塗布されている請求項１に記載の布。
【請求項３】
綿、ポリエステル、レーヨン、ポリエステル、或いは、ポリプロピレンからなる繊維から繊維からなる生地を有しており、当該生地の表面が前記加工面とされている請求項１又は２に記載の布。
【請求項４】
請求項１乃至３のいずれかに記載の布を備える布団カバーであって、
布団を覆った状態で、前記加工面が布団と接する布団カバー。
【請求項５】
表生地と、これの下側に重なる裏生地とから構成されるカバー本体をさらに備え、
前記表生地の外周縁の一部と前記裏生地の外周縁の一部との間、或いは、前記表生地には、開口が形成されており、
前記布は、前記表生地と前記裏生地との間に配置されて、前記加工面が下側に向けられており、
布団が、前記開口から、前記布と前記裏生地との間に挿入されることで、布団を覆った状態になり、この状態では、前記加工面が布団の上面と接する請求項４に記載の布団カバー。
【請求項６】
表生地と、これの下側に重なる裏生地とから構成されるカバー本体をさらに備え、
前記表生地の外周縁の一部と前記裏生地の外周縁の一部との間、或いは、前記裏生地には、開口が形成されており、
前記布は、前記表生地と前記裏生地との間に配置されて、前記加工面が上側に向けられており、
布団が、前記開口から、前記表生地と前記布との間に挿入されることで、布団を覆った状態になり、この状態では、前記加工面が布団の下面と接する請求項４に記載の布団カバー。
【請求項７】
表生地と、これの下側に重なる裏生地とから構成されるカバー本体をさらに備え、
前記裏生地は、その中央に開口が形成されているとともに、前記開口の周縁に当該開口を縮小する方向に付勢する弾性バンドが取り付けられており、
前記布は、前記表生地と前記裏生地との間に配置されて、前記加工面が下側に向けられており、
布団が、前記開口から、前記布と前記裏生地との間に挿入されることで、布団を覆った状態になり、この状態では、前記加工面が布団の上面と接する請求項４に記載の布団カバー。
【請求項８】
請求項１乃至３のいずれかに記載の布を備えるマットカバーであって、
マットを覆った状態で、前記加工面がマットと接するマットカバー。
【請求項９】
表生地と、当該表生地の外周から下側に延びる横生地とから構成されるカバー本体をさらに備え、
前記横生地の下端の開口の周縁には、前記開口を縮小する方向に付勢する弾性バンドが取り付けられており、
前記布は、前記表生地の下側且つ前記横生地の内側に配置されて、前記加工面が下側に向けられており、
マットが、前記開口から、前記布の下側且つ前記横生地の内側に挿入されることで、マットを覆った状態になり、この状態では、前記加工面がマットの上面と接する請求項８に記載のマットカバー。
【考案の詳細な説明】
【技術分野】
【０００１】
本考案は、布団カバー或いはマットカバーに使用される布、当該布を備える布団カバー、及び、前記布を備えるマットカバーに関する。
【背景技術】
【０００２】
従来から使用される布団カバーとして、紐や、雄雌のホックが設けられたテープが、内側に取り付けられた布団カバーがある。この布団カバーは、主に外側に輪が取り付けられた布団に対して使用されるものであり、当該布団との間のズレを防止するために、上記の紐やテープを布団の輪に結ぶことが行われる。
【考案の概要】
【考案が解決しようとする課題】
【０００３】
しかしながら、上記の従来の布団カバーでは、布団との間のズレを防止するために、内側に取り付けた紐を布団の輪に結んだり、内側に取り付けたテープを、布団の輪に通した後、雄のホックを雌のホックに嵌合させる必要があり、また洗濯等のため布団から取り外す際には上記と逆の作業を行う必要があるため、多大な手間を要する。また従来の布団カバーでは、紐やテープで結ばれた布団の箇所以外の部分にズレが生じる。
【０００４】
本考案は、上記の問題に着目してなされたものであり、布団カバー或いはマットカバーに使用される布であって、手間を要せず布団或いはマットのズレを防止できる布、当該布を備える布団カバー、及び前記布を備えるマットカバーを提供することを目的とする。
【課題を解決するための手段】
【０００５】
上記目的を達成するため、本考案は、次の項に記載の主題を包含する。
【０００６】
項１．布団カバー或いはマットカバーに使用される布であって、
滑り止め加工が施されている加工面を有する布。
【０００７】
項２．前記加工面には、前記滑り止め加工として、アクリル共重合体、ポリ塩化ビニル、或いは、シリコンを含む材料が塗布されている項１に記載の布。
【０００８】
項３．綿、ポリエステル、レーヨン、ポリエステル、或いは、ポリプロピレンからなる繊維から繊維からなる生地を有しており、当該生地の表面が前記加工面とされている項１又は２に記載の布。
【０００９】
項４．項１乃至３のいずれかに記載の布を備える布団カバーであって、
布団を覆った状態で、前記加工面が布団と接する布団カバー。
【００１０】
項５．表生地と、これの下側に重なる裏生地とから構成されるカバー本体をさらに備え、
前記表生地の外周縁の一部と前記裏生地の外周縁の一部との間、或いは、前記表生地には、開口が形成されており、
前記布は、前記表生地と前記裏生地との間に配置されて、前記加工面が下側に向けられており、
布団が、前記開口から、前記布と前記裏生地との間に挿入されることで、布団を覆った状態になり、この状態では、前記加工面が布団の上面と接する項４に記載の布団カバー。
【００１１】
項６．表生地と、これの下側に重なる裏生地とから構成されるカバー本体をさらに備え、
前記表生地の外周縁の一部と前記裏生地の外周縁の一部との間、或いは、前記裏生地には、開口が形成されており、
前記布は、前記表生地と前記裏生地との間に配置されて、前記加工面が上側に向けられており、
布団が、前記開口から、前記表生地と前記布との間に挿入されることで、布団を覆った状態になり、この状態では、前記加工面が布団の下面と接する項４に記載の布団カバー。
【００１２】
項７．表生地と、これの下側に重なる裏生地とから構成されるカバー本体をさらに備え、
前記裏生地は、その中央に開口が形成されているとともに、前記開口の周縁に当該開口を縮小する方向に付勢する弾性バンドが取り付けられており、
前記布は、前記表生地と前記裏生地との間に配置されて、前記加工面が下側に向けられており、
布団が、前記開口から、前記布と前記裏生地との間に挿入されることで、布団を覆った状態になり、この状態では、前記加工面が布団の上面と接する項４に記載の布団カバー。
【００１３】
項８．項１乃至３のいずれかに記載の布を備えるマットカバーであって、
マットを覆った状態で、前記加工面がマットと接するマットカバー。
【００１４】
項９．表生地と、当該表生地の外周から下側に延びる横生地とから構成されるカバー本体をさらに備え、
前記横生地の下端の開口の周縁には、前記開口を縮小する方向に付勢する弾性バンドが取り付けられており、
前記布は、前記表生地の下側且つ前記横生地の内側に配置されて、前記加工面が下側に向けられており、
マットが、前記開口から、前記布の下側且つ前記横生地の内側に挿入されることで、マットを覆った状態になり、この状態では、前記加工面がマットの上面と接する項８に記載のマットカバー。
【考案の効果】
【００１５】
本考案の布によれば、滑り止め加工が施された加工面を布団或いはマットに接触させる簡易な作業によって、布団或いはマットとの間のずれを防止できる。したがって、本考案の布によれば、手間を要せず、布団或いはマットとの間のズレを防止できる。また、加工面の大きさが布団或いはマットの大きさに応じて調整されることで、加工面と接触する布団或いはマットの面積を大きくすることができる。これにより、布団或いはマットとの間のズレを確実に防止できる。
【図面の簡単な説明】
【００１６】
【図１】本考案の実施形態に係る布を示す斜視図である。
【図２】図１のＡ−Ａ線断面図である。
【図３】図１や図２に示す布を備える布団カバーの一例を示す斜視図であり、布団を覆っていないときの布団カバーの表面側の状態を示す。
【図４】図３のＢ−Ｂ線断面図である。
【図５】図３に示す布団カバーで布団を覆ったものを、図３のＢ−Ｂ線に相当する線で切断した状態を示す断面図である。
【図６】図１や図２に示す布を備える布団カバーの他の例を示す斜視図であり、布団を覆っていないときの布団カバーの表面側の状態を示している。
【図７】図６のＣ−Ｃ線断面図である。
【図８】図６に示す布団カバーで布団を覆ったものを、図６のＣ−Ｃ線に相当する線で切断した状態を示す断面図である。
【図９】図１や図２に示す布を備える布団カバーの他の例を示す斜視図であり、布団を覆っているときの布団カバーの表面側の状態を示す。
【図１０】図１や図２に示す布を備える布団カバーの他の例を示す斜視図であり、布団を覆っているときの布団カバーの裏面側の状態を示す。
【図１１】図９のＤ−Ｄ線断面図である。
【図１２】図１や図２に示す布を備えるマットカバーの一例を示す斜視図であり、マットを覆っているときのマットカバーの表面側の状態を示す。
【図１３】図１や図２に示す布を備えるマットカバーの一例を示す斜視図であり、マットを覆っているときのマットカバーの裏面側の状態を示す。
【図１４】図１２のＥ−Ｅ線断面図である。
【考案を実施するための形態】
【００１７】
以下、本考案の実施形態について図面を参照しつつ説明する。図１は、本考案の実施形態に係る布１を示す斜視図である。図２は、図１のＡ−Ａ線断面図である。
【００１８】
図１や図２に示す布１は、布団カバーやマットカバーに使用可能なものであり、滑り止め加工が施されている加工面３を有している。具体的には、布１は、繊維からなる生地２を有しており、当該生地２の表面が上記滑り止め加工が施されている加工面３とされている。「滑り止め加工が施されている」とは、「生地２の表面の粘着性が本来よりも増している状態」、或いは、「生地２の表面の凹凸が本来よりも増している状態」を意味する。
【００１９】
生地２は、織布、編布、或いは不織布である。生地２は、ベッドリネンに使用される繊維全般を使用して形成できるが、生地２が織布や編布である場合には、生地２を構成する繊維として、綿、ポリエステル、或いはレーヨンからなる繊維を使用することが好ましい。また生地２が不織布である場合には、生地２を構成する繊維として、ポリエステル、或いはポリプロピレンからなる繊維を使用することが好ましい。
【００２０】
加工面３には、上記の滑り止め加工として、例えば、アクリル共重合体、ポリ塩化ビニル、或いは、シリコンを含む材料が塗布されている。このような材料が塗布された加工面３は、材料が高い粘着性を有すること、或いは、材料の塗布により凹凸が増すことで、摩擦係数が大きなものとなる。
【００２１】
上記のアクリル共重合体、ポリ塩化ビニル、或いは、シリコンを含む材料が使用される場合には、公知の装置を用いて、上記の材料を生地２に噴霧して、常温で生地２上の材料を固化させることで、上記の材料が生地２に塗布されて、布１が得られる。或いは、公知の装置を用いて、上記の材料を生地２にプリントすることでも、上記の材料が生地２に塗布されて、布１が得られる。上記のプリントは、上記の材料を生地２に噴霧した後、生地２を加熱することで、生地２上の材料を固化させることに相当する。
【００２２】
なお本考案の布に適用可能な滑り止め加工は、上記の材料を塗布することに限定されない。例えば、滑り止め加工として、凹凸が形成されている加工面を有する素材が、生地２の表面に貼り付けられてもよい。
【００２３】
次に、図１や図２に示す布１を備えるカバーについて説明する。なお以下では「上側」や「下側」の文言を用いるが、「上側」は、カバーの使用状態における上側を意味し、「下側」は、カバーの使用状態における下側を意味する。
【００２４】
図３は、布１を備える布団カバーの一例を示す斜視図であり、布団を覆っていないときの布団カバーの表面側の状態を示している。図４は、図３のＢ−Ｂ線断面図である。図５は、図３に示す布団カバーで布団を覆ったものを、図３のＢ−Ｂ線に相当する線で切断した状態を示す断面図である。
【００２５】
図３〜図５に示す布団カバー１０は、布１と、カバー本体１１とを備える。カバー本体１１は、表生地１２と、これの下側に重なる裏生地１３とから構成される。表生地１２や裏生地１３は矩形を呈しており、表生地１２の外周縁の３辺と裏生地１３の外周縁の３辺とが縫い合わされることで、表生地１２と裏生地１３とは一体とされている。そして、表生地１２や裏生地１３の外周縁における残りの１辺が縫い合わされないことで、これら１辺の間に開口１４が形成されている。当該開口１４は、表生地１２や裏生地１３の上記１辺に沿って設けられたファスナー１５によって、開閉自在とされている（図３は、開口１４の一部の範囲が開き、開口１４の残りの範囲がファスナー１５で閉じられた状態を示している）。
【００２６】
図４や図５に示すように、布１は、表生地１２と裏生地１３との間に配置されて、加工面３が下側に向けられている。そして、布１は、表生地１２に縫い合わされること、或いは接着剤等を用いて表生地１２に接着されることで、表生地１２と一体にされている。
【００２７】
上記の布団カバー１０は、開口１４から、布団Ｈが、布１と裏生地１３との間に挿入されることで、図５に示すように布団Ｈを覆った状態になる（より具体的には、開口１４を開状態にして、布団Ｈを開口１４から布１と裏生地１３との間に挿入し、この後、開口１４を閉状態にすることで、図５に示す状態になる）。そして布団カバー１０によって布団Ｈが覆われた状態（図５の状態）では、滑り止め加工の施された加工面３が布団Ｈの上面Ｈａと接することで、布団カバー１０と布団Ｈとの間のズレが防止される。
【００２８】
なお布団カバー１０の開口１４の範囲は布団Ｈの大きさに応じて適宜変更でき、布１と裏生地１３との間に布団Ｈを挿入可能なように、表生地１２の外周縁の一部と裏生地１３の外周縁の一部との間に開口１４が形成されればよい。或いは、開口１４は裏生地１３に形成されてもよい。このようにしても、布団Ｈを、開口１４から布１と裏生地１３との間に挿入して、布団Ｈの上面Ｈａを布１の加工面３に接触させることができる。
【００２９】
以上説明した本実施形態の布１によれば、滑り止め加工が施された加工面３を布団Ｈに接触させる簡易な作業によって、布団Ｈとの間のずれを防止できる。したがって、本実施形態の布１によれば、手間を要せず、布団Ｈとの間のズレを防止できる。また、加工面３の大きさを布団Ｈの大きさに応じて調整することで、加工面３と接触する布団Ｈの面積を大きくすることができる。これにより、布団Ｈのずれを確実に防止できる。
【００３０】
また、加工面３における滑り止め加工として、アクリル共重合体、ポリ塩化ビニル、或いは、シリコンを含む材料が塗布される場合には、上記の材料を生地２に噴霧或いはプリントする簡易な作業で、布１を製造できる。このため、布１の製造が容易である。
【００３１】
また図３〜図５に示す布団カバー１０によれば、表生地１２と布１との間に布団Ｈを挿入する簡易な作業によって、加工面３を布団Ｈに接触させることができ、この接触によって布団Ｈとの間のズレを防止できる。このため図３〜図５に示す布団カバー１０によれば、手間を要せず布団Ｈとの間のズレを防止でき、従来の布団カバーのように内側に紐やテープを取り付けることを要しない。なお本考案は、従来の布団カバーのように紐やテープを取り付けることを除外するものではなく、図３〜図５に示す布団カバー１０では、紐や、雄雌のホックが設けられるテープが、内側に取り付られてもよい（紐は、布団の外側に取り付けられる輪に結ばれるものである。テープは、布団の外側に取り付けられる輪に通されて、雄のホックを雌のホックに嵌合させるものである）。このように布団カバー１０が変形される場合でも、布団カバー１０は、加工面３を布団Ｈに接触させることで布団Ｈとの間のズレを防止できるため、手間を要せず、布団Ｈとの間のズレを防止可能なものといえる（つまり、布団カバー１０は、内側に取り付けた紐やテープを布団の輪に結ばなくとも、布団Ｈとの間のズレを防止可能なものといえる）。
【００３２】
また図１や図２に示す布１が使用可能なカバーは、図３〜図５に示す布団カバー１０に限定されない。以下、布１を備えるカバーの他の例について説明する。なお以下では、上記実施形態と相違する点を中心に説明し、上記実施形態と共通する点については、同一の符号を図等に示して、詳細な説明を省略する。
【００３３】
図６は、布１を備える布団カバーの他の例を示す斜視図であり、布団を覆っていないときの布団カバーの表面側の状態を示している。図７は、図６のＣ−Ｃ線断面図である。図８は、図６に示す布団カバーで布団を覆ったものを、図６のＣ−Ｃ線に相当する線で切断した状態を示す断面図である。
【００３４】
図６〜図８に示す布団カバー２０は、図３〜図５に示す布団カバー１０と同様、布１と、カバー本体１１とを備え、カバー本体１１は、表生地１２と、これの下側に重なる裏生地１３とから構成されている。そして布団カバー２０でも、表生地１２や裏生地１３の３辺が縫い合わされることで表生地１２と裏生地１３とが一体とされているとともに、表生地１２や裏生地１３の残りの１辺が縫い合わされないことで開口１４が形成され、当該開口１４はファスナー１５で開閉自在とされている（図６は、開口１４の一部の範囲が開き、開口１４の残りの範囲がファスナー１５で閉じられた状態を示している）。
【００３５】
図７や図８に示すように、布１は、表生地１２と裏生地１３との間に配置されて、加工面３が上側に向けられている。布１は、裏生地１３に縫い合わされること、或いは接着剤等で裏生地１３に接着されることで、裏生地１３と一体にされている。
【００３６】
図６〜図８に示す布団カバー２０では、布団Ｈが、開口１４から、表生地１２と布１との間に挿入されることで、図８に示すように布団Ｈを覆った状態になる（具体的には、開口１４を開状態にした後、布団Ｈを開口１４から表生地１２と布１との間に挿入し、この後、開口１４を閉状態にすることで、図８に示す状態になる）。そして布団カバー２０によって布団Ｈが覆われた状態（図８の状態）では、滑り止め加工の施された加工面３が布団Ｈの下面Ｈｂと接することで、布団Ｈと布団カバー２０との間のズレが防止される。
【００３７】
上記の布団カバー２０によれば、表生地１２と布１との間に布団Ｈを挿入する簡易な作業によって、加工面３を布団Ｈに接触させることができる。このため、手間を要せず、布団Ｈとの間のズレを防止できる。
【００３８】
なお布団カバー２０の開口１４の範囲は布団Ｈの大きさに応じて適宜変更でき、表生地１２と布１との間に布団Ｈを挿入できるように、表生地１２の外周縁の一部と裏生地１３の外周縁の一部との間に開口１４が形成されればよい。或いは、開口１４は表生地１２に形成されてもよい。このようにしても、布団Ｈを、開口１４から表生地１２と布１との間に挿入して、布団Ｈの上面Ｈａを布１の加工面３に接触させることができる
【００３９】
図９や図１０は、布１を備える布団カバーの他の例を示す斜視図であり、図９は、布団を覆っているときの布団カバーの表面側の状態を示し、図１０は、布団を覆っているときの布団カバーの裏面側の状態を示している。図１１は、図９のＤ−Ｄ線断面図である。
【００４０】
図９〜図１１に示す布団カバー３０は、布１と、カバー本体３１とを備える。カバー本体３１は、表生地３２と、これの下側に重なる裏生地３３とから構成される。
【００４１】
表生地３２は矩形を呈している。裏生地３３は、外形が表生地１２と一致する環状を呈しており、中央に開口３４を有している。そして、表生地１２の外周縁と裏生地１３の外周縁とが縫い合わされることで、表生地１２と裏生地１３とは一体とされている。また裏生地３３における開口３４の周縁には、開口３４を縮小する方向に付勢する弾性バンド３５が取り付けられている。
【００４２】
図１１に示すように、布１は、表生地３２と裏生地３３との間に配置されて、加工面３が下側に向けられている。布１は、表生地３２に縫い合わされること、或いは接着剤等を用いて表生地３２に接着されることで、表生地３２と一体にされている。
【００４３】
上記の布団カバー３０では、開口３４から、布団Ｈが、布１と裏生地３３との間に挿入されることで、図１１に示すように布団Ｈを覆った状態になる。そしてこの状態では、滑り止め加工の施された加工面３が布団Ｈの上面Ｈａに接することや、弾性バンド３５の付勢により布団カバー３０が布団Ｈに密着することで、布団Ｈと布団カバー３０との間のズレが防止される。
【００４４】
上記の布団カバー３０によれば、裏生地３３と布１との間に布団Ｈを挿入する簡易な作業によって、加工面３を布団Ｈに接触させることができる。このため、手間を要せず、布団Ｈとの間のズレを防止できる。
【００４５】
図１２や図１３は、布１を備えるマットカバーの一例を示す斜視図であり、図１２は、マットを覆っているときのマットカバーの表面側の状態を示し、図１３は、マットを覆っているときのマットカバーの裏面側の状態を示している。図１４は、図１２のＥ−Ｅ線断面図である。
【００４６】
図１２〜図１４に示すマットカバー４０は、布１と、カバー本体４１とを備える。カバー本体４１は、表生地４２と、当該表生地４２の外周から下側に延びる横生地４３とから構成されており、横生地４３の下端の開口４４の周縁には、開口４４を縮小する方向に付勢する弾性バンド４５が取り付けられている。
【００４７】
図１４に示すように、布１は、表生地４２の下側且つ横生地４３の内側に配置されて、加工面３が下側に向けられている。布１は、表生地４２に縫い合わされること、或いは接着剤等を用いて表生地４２に接着されることで、表生地４２と一体にされている。
【００４８】
上記のマットカバー４０は、開口４４から、マットＭが、布１の下側且つ横生地４３の内側に挿入されることで、図１４に示すようにマットＭを覆った状態になる。そしてこの状態では、滑り止め加工の施された加工面３がマットＭの上面Ｍａと接することや、弾性バンド４５の付勢によりマットカバー４０がマットＭに密着することで、マットＭとマットカバー４０との間のズレが防止される。
【００４９】
上記のマットカバー４０によれば、マットＭを布１の下側且つ横生地４３の内側に挿入する簡易な作業によって、加工面３をマットＭに接触させることができる。このため、手間を要せず、マットＭとの間のズレを防止できる。
【００５０】
なお上述した布団カバー１０，２０，３０やマットカバー４０の形状は、図３〜図１４に示す形状に限定されない。例えば、図３〜図５に示す布団カバー１０や、図６〜図８に示す布団カバー２０において、表生地１２や裏生地１３の形状は、図示例の矩形に限定されず、布団の形状に応じて任意の形状に変更できる。また図９〜図１１に示す布団カバー３０において、表生地３２の形状は、図示例の矩形に限定されず、布団の形状に応じて任意の形状に変更でき、また裏生地３３の形状も、布団や表生地３２の形状に応じて、任意の環状に変更できる。また図１２〜図１４に示すマットカバー４０において、表生地３２の形状は、図示例の矩形に限定されず、マットＭの形状に応じて任意の形状に変更でき、横生地４３の形状も、マットや表生地３２の形状に応じて、任意の形状に変更できる。さらに布団カバー１０，２０，３０やマットカバー４０に使用される布１の形状も、図示例の矩形に限定されず、カバー本体１１，３１，４１の内側に配置可能な任意の形状に変更され得る。また布１の平面寸法がカバー本体１１，３１，４１の平面寸法と略一致する場合には、布１はカバー本体１１，３１，４１と一体にされなくてもよい（つまり単に布１をカバー本体１１，３１，４１の内側に差し込むようにしてもよい）。この場合には、カバー本体１１，３１，４１によって布１の動きが規制されるため、当該布１の加工面３への接触で布団Ｈ或いはマットＭのズレを防止できる。
【００５１】
また図３〜図１４では、布１と他の生地とが組み合わされたカバー１０，２０，３０，４０を示したが、布１は、それ自体を、布団カバーやマットカバーとして使用できる。この場合、布１の加工面３が布団Ｈの上面或いはマットＭの上面に接するように、布１が布団ＨやマットＭに載置される。このようにする場合でも、布１の加工面３が布団ＨやマットＭと接触することで、カバーとしての布１と布団Ｈ或いはマットＭとの間のズレを防止できる。
【００５２】
本考案者らは、本考案の布の効果を確認するための試験を行っている。以下、この試験について説明する。
【００５３】
本試験は、布の洗濯前及び洗濯後における滑り止め効果の確認や、本考案の布の加工面における埃付着状態の確認を行ったものである。
【００５４】
洗濯前及び洗濯後の滑り止め効果を確認する試験（以下、滑り止め効果確認試験）は、滑り止め加工を行った本考案の実施例の布や、滑り止め加工を行っていない比較例の布を使用して実施したものである。実施例の布や、比較例の布は、いずれも、縦横寸法が２０ｃｍ×２０ｃｍである綿織物（綿１００％の織物）を生地とするものであるが、実施例の布では、滑り止め加工としてアクリル共重合体を含む材料が生地に塗布されており、比較例の布では滑り止め加工が行われていない。滑り止め効果確認試験では、以下に示す１〜４の作業を順次行っており、その結果、下記表1に示す値が測定された。
【００５５】
１、綿１００％の織物からなる生地床の上や、ＰＥＴ１００％の織物からなる生地床の上に、実施例の布を載置する。
２、綿１００％の織物からなる生地床の上や、ＰＥＴ１００％の織物からなる生地床の上に、比較例の布を載置する。
３、実施例や比較例の布に加重が均等に掛かるように、実施例や比較例の布の上に塩化ビニル製の板を載せ、さらにその上に重量が２．５Ｋｇである物体を載せる。
４、実施例や比較例の布をバネ秤で水平方向に引っ張り、実施例や比較例の布の初動時にバネ秤が示している重量（Kg）を測定する。
【００５６】
【表１】
0003212062.tif 000003
【００５７】
上記の表１に示す結果から、洗濯前の実施例の布は、洗濯前の比較例の布よりも、初動時における重量（Kg）が２．２〜３．３倍程度大きいことが確認された（２．２は３．３／１．５の計算値であり、３．３は２．６／０．８の計算値である）。また実施例の布は、洗濯を５０回行った後でも、洗濯前の比較例の布よりも、初動時における重量（Kg）が１．８〜２．５倍程度大きいことが確認された（１．８は２．７／１．５の計算値であり、２．５は２．０／０．８の計算値である）。以上のことから、滑り止め加工が行われた実施例の布は、滑り止め効果が大きなものであり、その効果は洗濯後も維持されることが確認された。
【００５８】
本考案の布の加工面における埃付着状態を確認する試験は、加工面にアクリル共重合体を含む材料が塗布されている布を用いて、ＪＩＳ１０３法により行った（浴比１：３０、水の温度４０℃、水に混ぜた洗剤アタック、水１リットルあたりの洗剤の質量２ｇ/ｌ、繰り返し洗濯）。本試験により、加工初期には加工面に埃が付着しているものの、洗濯後は埃が加工面から脱落して、埃が加工面に再付着し難い傾向にあることが確認された。
【符号の説明】
【００５９】
１  布、
２  生地、
３  加工面、
１０，２０，３０  布団カバー、
１１，３１，４１  カバー本体、
１２，３２，４２  表生地、
１３，３３  裏生地、
１４，３４，４４  開口、
３５，４５  弾性バンド、
４０  マットカバー、
４３  横生地、
Ｈ  布団、
Ｍ  マット
【図１】
0003212062.tif 000004
【図２】
0003212062.tif 000005
【図３】
0003212062.tif 000006
【図４】
0003212062.tif 000007
【図５】
0003212062.tif 000008
【図６】
0003212062.tif 000009
【図７】
0003212062.tif 000010
【図８】
0003212062.tif 000011
【図９】
0003212062.tif 000012
【図１０】
0003212062.tif 000013
【図１１】
0003212062.tif 000014
【図１２】
0003212062.tif 000015
【図１３】
0003212062.tif 000016
【図１４】
0003212062.tif 000017